(57)【要約】【課題】  短時間で多数の本人認証が可能であり、携帯電話の所有者に費用が発生しない携帯電話および本人認証システムを提供する。【解決手段】  本人認証用データが蓄積されたＩＣタグを備える携帯電話と、ＩＣタグリーダ／ライタと、これに接続され個人情報が蓄積された管理用コンピュータとからなるように構成した。したがって、本人認証にＩＣタグを用いることができ、短時間で多数の本人認証が可能である。また、本人認証には携帯電話の通信機能を利用しないので、携帯電話の所有者に本人認証に関する費用負担が生じない。【選択図】      図１
2005109766.tif 000002
【特許請求の範囲】
【請求項１】
本人認証用データが蓄積されたＩＣタグを備えることを特徴とする携帯電話。
【請求項２】
ＩＣタグが携帯電話の筐体に貼り付けられたものである請求項１記載の携帯電話。
【請求項３】
ＩＣタグが携帯電話の筐体に一体成形されたものである請求項１記載の携帯電話。
【請求項４】
ＩＣタグが電池不要な方式のものである請求項１〜３のいずれかに記載の携帯電話。
【請求項５】
本人認証用データが蓄積されたＩＣタグを備える携帯電話と、ＩＣタグリーダ／ライタと、これに接続され個人情報が蓄積された管理用コンピュータとからなることを特徴とする本人認証システム。
【請求項６】
管理用コンピュータに蓄積された個人情報が文字情報および画像情報からなるものである請求項５に記載の本人認証システム。
【発明の詳細な説明】
【技術分野】
【０００１】
本発明は、本人認証に用いることができる携帯電話および本人認証システムに関する。
【背景技術】
【０００２】
従来から、携帯電話を用いて本人認証を行う方法として、携帯電話により通話を行い、通話者の発生データを解析し、本人の発声データであるかどうかを判断して認証を行う方法がある（たとえば、特許文献１参照）。
【０００３】
また、個々の携帯電話に固有に付与されている電話番号（発信者番号）により発信者を特定することによって本人認証を行う方法がある（たとえば、特許文献２参照）。
【０００４】
また、携帯電話が備えるデータ通信機能を利用し、携帯電話から認証用サーバにアクセスすることによって本人認証を行う方法がある（たとえば、特許文献３参照）。
【０００５】
また、利用者があらかじめバーコードなどの認証用の画像ファイルを自分の携帯電話にダウンロードしておき、認証時に画像ファイルを画面表示させる方法がある（たとえば、特許文献４参照）。
【特許文献１】特開２００２−３１２３１８号公報
【特許文献２】特開２００１−１４４８６５号公報
【特許文献３】特開２００２−２７１５１号公報
【特許文献４】特開２００３−１４０８６５号公報
【発明の開示】
【発明が解決しようとする課題】
【０００６】
しかし、上記のいずれの方法であっても、本人認証を行うための時間は、各個人が携帯電話を操作する時間を含めると短いものではなく、たとえば大学の講義において出席者を確認するように短時間で多数の認証を行いたい場合には不適当な方法であった。
【０００７】
また、上記のいずれの方法も、本人認証に関してあらかじめ、あるいはその都度、携帯電話による通信を必要とするが、通信の際に発生する費用負担は、原則として携帯電話の所有者に生じるものである。
【０００８】
したがって、本発明は、上記のような問題点を解消し、短時間で多数の本人認証が可能であり、携帯電話の所有者に費用が発生しない携帯電話および本人認証システムを提供することを目的とする。
【課題を解決するための手段】
【０００９】
本発明の携帯電話および本人認証システムは、以上の目的を達成するために、以下のように構成している。
【００１０】
本発明の第１態様によれば、本人認証用データが蓄積されたＩＣタグを備える携帯電話を提供する。
【００１１】
本発明の第２態様によれば、ＩＣタグが携帯電話の筐体に貼り付けられたものである第１の態様に記載の携帯電話を提供する。
【００１２】
本発明の第３態様によれば、ＩＣタグが携帯電話の筐体に一体成形されたものである第１の態様に記載の携帯電話を提供する。
【００１３】
本発明の第４態様によれば、ＩＣタグが電池不要な方式のものである第１〜３の態様に記載の携帯電話を提供する。
【００１４】
本発明の第５態様によれば、本人認証用データが蓄積されたＩＣタグを備える携帯電話と、ＩＣタグリーダ／ライタと、これに接続され個人情報が蓄積された管理用コンピュータとからなる本人認証システムを提供する。
【００１５】
本発明の第６態様によれば、管理用コンピュータに蓄積された個人情報が文字情報および画像情報からなるものである第５の態様に記載の本人認証システムを提供する。
【発明の効果】
【００１６】
本発明の携帯電話は、本人認証用データが蓄積されたＩＣタグを備えるように構成した。したがって、本人認証にＩＣタグを用いることができ、短時間で多数の本人認証が可能なものである。また、本人認証には携帯電話の通信機能を利用しないので、携帯電話の所有者に本人認証に関する費用負担が生じないものである。
【００１７】
本発明の本人認証システムは、本人認証用データが蓄積されたＩＣタグを備える携帯電話と、ＩＣタグリーダ／ライタと、これに接続され個人情報が蓄積された管理用コンピュータとからなるように構成した。したがって、本人認証にＩＣタグを用いることができ、短時間で多数の本人認証が可能なシステムである。また、本人認証には携帯電話の通信機能を利用しないので、携帯電話の所有者に本人認証に関する費用負担が生じないシステムである。
【発明を実施するための最良の形態】
【００１８】
図面を参照しながら本発明の実施の形態について詳しく説明する。
【００１９】
図１は、は本発明の本人認証システムの一実施例を示す模式図である。図２〜４は、は本発明の携帯電話の一実施例を示す断面図である。図中、１は携帯電話、２はＩＣタグリーダ／ライタ、３は管理用コンピュータ、４はＩＣタグ、５は筐体である。
【００２０】
本発明の携帯電話１は、本人認証用データが蓄積されたＩＣタグ４を備えるものである。また、本発明の本人認証システムは、上記携帯電話１と、ＩＣタグリーダ／ライタ２と、これに接続され個人情報が蓄積された管理用コンピュータ３とからなるものである（図１参照）。
【００２１】
ＩＣタグ４とは、電波を用い非接触でデータキャリアを認識する技術（（ＲＦＩＤ（Ｒａｄｉｏ  Ｆｒｅｑｕｅｎｃｙ  ＩＤｅｎｔｉｆｉｃａｔｉｏｎ）ともいう）を利用したものであり、メモリなどが格納されたＩＣチップとアンテナとから構成されるものがある。メモリとしては、データの再書き込みが可能なものと不可能なものがある。
【００２２】
ＩＣタグ４として、電池不要な方式のものを用いると、ＩＣタグ４の動作を携帯電話１が有する通信機能とまったく無関係に行うことができ、携帯電話１が備える電池にＩＣタグ４を接続する必要性がなくなる。また、携帯電話１の電源が切断されている場合であってもＩＣタグ４とＩＣタグリーダ／ライタ２との間の通信が可能であるため、確実に認証を行うことができる。
【００２３】
本発明でいう携帯電話１とは、屋外に持ち運びが可能で無線通信により電話をかけることができるものをいう。したがって、ＴＤＭＡ方式、ＣＤＭＡ方式、ＧＳＭ方式、ＰＨＳ方式などの通信方式を用いる携帯電話のほか、これらの通信方式を利用することができるＰＤＡ、スマートフォン、車載情報端末などの電子機器も含むものとする。また、業務用無線機、アマチュア無線機、トランシーバーなどの無線通信機器も含むものとする。
【００２４】
ＩＣタグ４は、通常、ＩＣチップとアンテナとから構成される。このような構成のＩＣタグ４を携帯電話１と一体化するには、携帯電話１の筐体５に貼り付けるとよい。筐体５の内側にＩＣタグ４を貼り付けると（図２参照）、ＩＣタグ４を携帯電話１に内蔵することになり携帯電話１の外観に影響が及ばない。また、携帯電話１の利用中にＩＣタグ４が剥離するおそれもない。また、筐体５の外側にＩＣタグ４を貼り付ける場合（図２参照）は、携帯電話１の組み立て工程の後に携帯電話１がＩＣタグ４を備えるようにすることができ、簡便である。また、特定の携帯電話１にのみＩＣタグ４を貼り付けるのが容易にできる。
【００２５】
ＩＣタグ４の貼り付けには、粘着シートを利用してＩＣタグ４を全面的にあるいは部分的に覆うように筐体５内部に貼り付ける方法や、両面粘着シートを利用してＩＣタグ４と筐体５内部とを接合して貼り付ける方法などがある。
【００２６】
また、ＩＣタグ４は、筐体５を構成するプラスチック成形品の成形時に、ＩＣタグ４と筐体５とが一体化するように一体成形してもよい（図３参照）。具体的には、ＩＣタグ４を成形金型内に挟み込み、金型内に樹脂を射出充満させ、冷却して樹脂成形品を得るのと同時に成形品表面にＩＣタグ４を接着させる方法である。この際、ＩＣタグ４はキャリアシート上に仮接着しておき、筐体５となる樹脂成形品の成形後にキャリアシートを剥離するようにしてもよい。また、ＩＣタグ４をプラスチックシート上に接着しておき、筐体５となる樹脂成形品の表面にプラスチックシートごと一体化するようにしてもよい。
【００２７】
ＩＣタグ４を備えた携帯電話１を用いて本人認証を行うには、ＩＣタグリーダ／ライタ２と、これに接続され個人情報が蓄積された管理用コンピュータ３とを用いる。
【００２８】
ＩＣタグリーダ／ライタ２は、ＩＣタグ４のＩＣチップに備えられるメモリに記録されたデータを読み込み、必要に応じてメモリにデータを追記しまたは書き換えする装置である。ＩＣタグリーダ／ライタ２は、アンテナ、ＣＰＵ、メモリ、外部接続インターフェイスなどを備えるように構成される。ＩＣタグ４とＩＣタグリーダ／ライタ２との間では電波を用いて通信を行う。ＩＣタグ４の規格により、ＩＣタグ４とＩＣタグリーダ／ライタ２との間の読み取り可能な距離は、１ｃｍ〜１ｍ程度となる。
【００２９】
管理用コンピュータ３は、ＩＣタグリーダ／ライタ２に接続され、ＩＣタグリーダ／ライタ２が読み込んだＩＣタグ４のデータを解析し、本人認証を行うものである。管理用コンピュータ３は、ＣＰＵ、メモリ、入力装置、モニタ、外部接続インターフェイスなどを備えるように構成される。管理用コンピュータ３のメモリには、各ＩＣタグ４に記録された本人認証用データを確認するために、あらかじめ各個人の個人情報を蓄積しておく。
【００３０】
管理用コンピュータ３は、ＩＣタグリーダ／ライタ２と一体化して用いることができる小型軽量のものでもよい。このように構成することにより、ＩＣタグリーダ／ライタ２でＩＣタグ４の読み取りを行うのと同時に操作者が認証結果をその場で容易に知ることができる。
【００３１】
また、管理用コンピュータ３は、複数台のＩＣタグリーダ／ライタ２と、有線または無線のコンピュータネットワークによって接続し、集中的に個人情報を管理するように構成してもよい。
【００３２】
本人認証を行うには、ＩＣタグ４に個人情報のすべてを記録するのではなく、読み取り装置に接続された装置に記録し、ＩＣタグ４とＩＣタグリーダ／ライタ２間の通信量を小さくして短時間に認証が終了できるようにするとよい。
【００３３】
たとえば、大学等の講義・試験において出席者を確認する場合、携帯電話１に備えられたＩＣタグ４のメモリには本人認証用データとして、氏名、生年月日など個人特有の情報や、学生番号など管理用の情報をあらかじめ蓄積しておく。
【００３４】
出席者は、会場に準備されたＩＣタグリーダ／ライタ２に携帯電話１をかざすことにより携帯電話１のＩＣタグ４の読み取りを行う。
【００３５】
ＩＣタグリーダ／ライタ２が読み取った携帯電話１のＩＣタグ４の本人認証用データは、管理用コンピュータ３により、管理用コンピュータ３にあらかじめ蓄積された個人情報との照合が行われ、本人認証をおこなう。あらかじめ蓄積された個人情報との照合の結果、正規の登録者であれば、その旨の表示を管理用コンピュータ３に接続されたモニタ、あるいはＩＣタグリーダ／ライタ２に接続されたモニタに表示するようにするとよい。あるいは、音声により照合結果を示すようにしてもよい。
【００３６】
また、管理用コンピュータ３に蓄積する個人情報として、本人の顔写真を画像情報をあらかじめ取り込んでおき、本人認証時に顔写真をモニタに表示するようにすると、他人の携帯電話１を利用して認証をおこなう成り済まし行為の発見が容易になる。
【産業上の利用可能性】
【００３７】
本発明は、出席者の確認、取引相手の確認など本人認証が必要な場面において好適に用いることができ、産業上有用なものである。
【図面の簡単な説明】
【００３８】
【図１】本発明の本人認証システムの一実施例を示す模式図である。
【図２】本発明の携帯電話の一実施例を示す断面図である。
【図３】本発明の携帯電話の一実施例を示す断面図である。
【図４】本発明の携帯電話の一実施例を示す断面図である。
【符号の説明】
【００３９】
１  携帯電話
２  ＩＣタグリーダ／ライタ
３  管理用コンピュータ
４  ＩＣタグ
５  筐体
【図１】
2005109766.tif 000003
【図２】
2005109766.tif 000004
【図３】
2005109766.tif 000005
【図４】
2005109766.tif 000006